(57)【要約】【課題】外箱内に収容した変圧器タンクの下方に機器収容スペースを形成して、機器収容スペースに二次側機器を収容するようにした路上設置形変圧器装置において、機器収容スペースに雨水が浸入するのを防止すること。【解決手段】側壁部及び天井部に換気口を有する外箱１内に変圧器２を収容し、変圧器２の下方に形成した機器収容スペース５に変圧器の二次側に接続される二次側機器を収容する路上設置形変圧器装置において、変圧器タンクの下端付近と外箱１の内面との間に止水用隔壁部２０を設けるとともに外箱１の側壁部に水抜き孔２１を設けて、外箱１の換気口から外箱内に浸入した雨水が機器収容スペース側に浸入するのを防止した。【選択図】　　図４
2004129403.tif 000002
【特許請求の範囲】
【請求項１】
変圧器タンク内に変圧器本体を収容して構成した変圧器を外箱内に配置してなる路上設置形変圧器装置において、
前記外箱は、その側壁及び天井部に換気口を有し、
前記変圧器タンクは開口部周縁に外フランジを有する箱形のタンク本体と該タンク本体の外フランジにボルトにより締結されて前記タンク本体の開口部を液密かつ気密に閉鎖した蓋板とを備えていて、前記蓋板を下方に向け、かつ該蓋板の下方に機器収容スペースを形成するように配置され、
前記機器収容スペースに前記変圧器本体の二次側につながる二次側機器が収容され、
前記タンク本体の外フランジ及び蓋板の外側面と前記外箱の側壁の内面との間に介在するようにパッキンが配置されて、該パッキンと前記外フランジと蓋板とにより、前記換気口から前記変圧器タンクと前記外箱との間の空間に浸入した水が前記機器収容スペースに流入するのを阻止する止水用隔壁部が形成され、
前記止水用隔壁部の上部に近接した位置で前記外箱の内外を連通させるように水抜き孔が設けられていることを特徴とする路上設置形変圧器装置。
【請求項２】
前記止水用隔壁部を通して前記機器収容スペース側に浸出した水を前記止水用隔壁部の下方で受け止める樋が、前記変圧器タンクの下端の周縁部の全周に沿うように配置され、
前記樋の内部の水を前記外箱の外部に排出するための排出孔が、前記外箱の側壁を貫通した状態で設けられていることを特徴とする請求項１に記載の路上設置形変圧器装置。
【発明の詳細な説明】
【０００１】
【発明の属する技術分野】
本発明は、歩道上等に設置される路上設置形の変圧器装置に関するものである。
【０００２】
【従来の技術】
歩道上などに設置される路上設置形変圧器装置は、変圧器を一次側機器及び二次側機器と共に外箱内に収容した構造を有する。変圧器は、変圧器タンクと、該変圧器タンク内に絶縁油と共に収容された変圧器本体と、変圧器タンクに取り付けられて変圧器本体の一次側及び二次側に接続された一次側ブッシング及び二次側ブッシング等により構成される。また一次側機器としては、遮断器等の開閉器や、電力ヒューズ等が設けられ、二次側機器としては、例えば、銅バー等の配線用導体や、ブレーカ等の二次側開閉器等が設けられる。
【０００３】
この種の変圧器装置は、道路に設置されるため、外箱の外形寸法が制限される。一方、電力需要の増大に応えるためには、変圧器の容量をできるだけ大きくすることが必要とされる。そのため、この種の変圧器装置においては、限られた外箱内のスペースにできるだけ大容量の変圧器を収容することができるように、外箱内での機器のレイアウトや、変圧器の構成等に工夫をする必要がある。
【０００４】
従来のこの種の変圧器装置では、一次側機器を変圧器タンクの側方に配置し、二次側機器を変圧器タンクの前面側に配置して、地下のケーブルピットから立ち上げたケーブルを一次側機器を通して変圧器本体の一次側に接続し、変圧器本体の二次側を二次側機器を通して二次側ケーブルに接続していた。
【０００５】
しかしながら、このような構成では、変圧器タンクの前面側に二次側機器を配置するためのスペースを確保する必要があるため、外箱の寸法を一定とした場合、変圧器タンクの奥行き寸法が小さくなり、これにより、変圧器タンク内に収容し得る変圧器本体の寸法及び油量が制限されて、変圧器の容量が制限されるという問題があった。
【０００６】
このような問題を回避するため、二次側機器を変圧器タンクの下方に配置することが検討されている。
【０００７】
また外箱内に収容する大容量の変圧器からの発熱を効率よく外部に放散させるためには、外箱の側壁に換気口を設けるだけでは不十分であるため、外箱の側壁部だけでなく、天井部にも換気口を設けることが検討されている。
【０００８】
ところが、上記のように外箱に換気口が設けられていると、降雨時に換気口から外箱内に雨水が入り、外箱内に入った雨水がその底部に溜まるため、変圧器タンクの下方に二次側機器を配置する構造にした場合には、大量の降雨があったときに二次側機器が浸水するおそれがある。
【０００９】
降雨時に万一二次側機器が浸水すると、配線用導体として用いる銅バーの腐食によりその接続部の接触抵抗が大きくなって通電性能が低下したり、ブレーカ等の二次側開閉器が故障したりするおそれがある。
【００１０】
路上設置形電気機器の外箱に設けられた換気口から雨水が浸入するのを防ぐことを目的とした発明として、例えば特許文献１に示されたものが知られている。特許文献１に示された発明では、空気を流通させるギャラリー（通気孔を有する板）の構造を工夫して、外部からギャラリーを通して浸入した雨水の向きを変えて下向きの水滴とすることにより、外箱内に収容された電気機器に直接雨水がかかるのを防ぐようにしている。
【００１１】
【特許文献１】
特開２０００−２９５７２１号
【００１２】
【発明が解決しようとする課題】
換気口が外箱の側壁に設けられる場合には、該換気口を特許文献１に示されたように構成すれば、外箱内に収容された電気機器に直接雨水がかかって電気的なトラブルが生じるのを防ぐことができる。
【００１３】
しかしながら、外箱の天井部に換気口が設けられる場合には、該換気口に如何なる防水措置を講じても、外箱内に雨水が浸入するのを防ぐことは難しい。
【００１４】
従って、変圧器タンクの下方に二次側機器を配置して、しかも外箱の天井部にも換気口を設ける場合には、外箱内に雨水が浸入することを前提にした上で、二次側機器が浸水しないようにするための工夫をすることが必要である。
【００１５】
本発明の目的は、外箱内に浸入した雨水が変圧器タンクの下方に溜まるおそれをなくして、二次側機器が浸水するのを防ぐことができるようにした路上設置形変圧器装置を提供することにある。
【００１６】
【課題を解決するための手段】
本発明は、変圧器タンク内に変圧器本体を収容して構成した変圧器を外箱内に配置してなる路上設置形変圧器装置に係わるものである。
【００１７】
本発明においては、上記外箱がその側壁と天井部とに換気口を有している。変圧器タンクは、開口部周縁に外フランジを有する箱形のタンク本体と該タンク本体の外フランジにボルトにより締結されてタンク本体の開口部を液密かつ気密に閉鎖した蓋板とを備えていて、蓋板を下方に向け、かつ該蓋板の下方に機器収容スペースを形成するように（蓋板と外箱の底部との間に機器収容スペースを形成するために必要な間隔をあけた状態で）配置され、上記機器収容スペースに、変圧器本体の二次側につながる二次側機器が収容されている。
【００１８】
また上記タンク本体の外フランジ及び蓋板の外側面と外箱の側壁の内面との間に介在するようにパッキンが配置されて、該パッキンとタンク本体の外フランジと蓋板とにより、換気口から変圧器タンクと外箱との間の空間に浸入した水が機器収容スペースに流入するのを阻止する止水用隔壁部が形成され、この止水用隔壁部の上部に近接した位置で外箱の内外を連通させるように水抜き孔が設けられている。
【００１９】
上記のように構成すると、外箱の側壁及び天井部に設けられた換気口から外箱内に浸入した雨水が、変圧器タンクの下方の機器収容スペースに到達するのを防ぐことができるため、変圧器タンクの下方に雨水が溜まるおそれをなくして、二次側機器が浸水するのを防ぐことができる。
【００２０】
本発明においては、止水用隔壁部を通して機器収容スペース側に浸出した水を止水用隔壁部の下方で受け止める樋を、変圧器タンクの下端の周縁部の全周に沿うように配置して、樋の内部の水を外箱の外部に排出するための排出孔を、外箱の側壁を貫通した状態で設けるのが好ましい。
【００２１】
このように、止水用隔壁部の下方に樋を配置すると、万一止水用隔壁部により阻止できなかった雨水が機器収容スペース側に流れ込んだ場合でもその水を樋により受け止めて排出孔から外部に排出することができるため、機器収容スペースに配置した二次側機器が浸水するのを確実に防ぐことができる。
【００２２】
上記のように、本発明によれば、外箱内に雨水が浸入しても変圧器タンクの下部の機器収容スペースに配置した二次側機器が浸水することがないため、外箱の側壁に換気口を設けることができるのはもちろん、外箱の天井部にも換気口を設けることができる。
【００２３】
【発明の実施の形態】
以下、図面を参照して本発明の実施の形態を詳細に説明する。図１は本発明に係わる変圧器装置の正面図、図２は動変圧器装置の上面図、図３は本発明に係わる変圧器装置の外箱の前面を閉鎖している板を外してその内部の要部の構造を示した正面図、図４は図１のＡ−Ａ線断面図である。
【００２４】
図１ないし図４において、１は左右の側板１ａ，１ｂと、天井板１ｃ及び底板１ｄと、前面板１ｅ及び背面板（図示せず。）とにより箱形に構成された外箱で、外箱１内は、左右の側板１ａ、１ｂと平行に配置された仕切板１ｇにより、横方向に並ぶ変圧器収容室１Ａと一次側機器収容室１Ｂとに仕切られている。
【００２５】
変圧器収容室１Ａ内には変圧器２が配置され、一次側機器収容室１Ａ内には、変圧器の一次側に接続される一次側機器（図示せず。）が収容されている。
【００２６】
一次側機器は、例えば、地下のケーブルピットから立ち上げられたケーブルの端末を接続するケーブルヘッド、遮断器等の開閉器及びその操作器等である。
【００２７】
変圧器２は、鉄心と該鉄心に巻装されたコイルとからなる変圧器本体（図示せず。）を絶縁油と共に変圧器タンク３内に収容したものである。変圧器タンク３は、開口部周縁に外フランジ３０２を有する箱形のタンク本体３０１と、このタンク本体の外フランジにパッキン３０３（図２参照）を介して当接されて、ボルト３０４ａと該ボルトに螺合されたナット３０４ｂとにより外フランジ３０２に締結された蓋板３０５とからなっていて、蓋板３０５によりタンク本体３０１の開口部が液密かつ気密に閉じられている。
【００２８】
変圧器２は、変圧器タンク３の蓋板３０５を下方に向け、かつ該蓋板３０５と外箱１の底部との間に所定の間隔を隔てた状態で配置されて、適宜の支持部材４により外箱１内に支持されている。
【００２９】
本発明に係わる変圧器装置では、変圧器タンク３の下方に形成された空間（変圧器タンク３の蓋板３０５と外箱１の底部との間に形成された空間）を機器収容スペース５として用いる。
【００３０】
図示してないが、仕切板１ｇに対面する変圧器タンク３の側面に変圧器本体の一次側（高圧側）に接続された一次ブッシングが接続され、この一次ブッシングは、仕切板１ｇを貫通して一次側機器収容室１Ｂ内に導入されている。
【００３１】
またこの例では、変圧器本体の二次側に接続された二次ブッシング（図示せず。）が変圧器タンク３の蓋板３０５に取り付けられていて、図３に鎖線で示したように、該二次ブッシングを通して変圧器本体の二次側（低圧側）に接続される二次側機器６が変圧器タンクの下方の機器収容スペース５に配置されている。
【００３２】
機器収容スペース５に配置される二次側機器６は、例えば、配線用導体として用いる銅バーや、ブレーカ等の二次側開閉器等である。
【００３３】
図１ないし図３に見られるように、外箱１の一次側機器収容室１Ｂ側の（正面から見て左側の）側板１ａには、上下に間隔をあけた状態で、左側面側上部換気口７Ａ及び左側面側下部換気口７Ｂが設けられ、外箱１の一次側機器収容室１と反対側の（正面から見て右側の）側板１ｂには、上下に間隔をあけて、かつ変圧器タンク３の下端の外フランジ３０２よりも上方に位置させた状態で、右側面側上部換気口８Ａ及び右側面側下部換気口８Ｂが形成されている。同様に、図示しない背面板にも、上下に間隔をあけた状態で、かつ変圧器タンク３の下端の外フランジ３０２よりも上方に位置させた状態で、背面側上部換気口９Ａ及び背面側下部換気口９Ｂが設けられている。更に本実施形態では、外箱１の天井板（天井部）１ｃにも、換気口１０が設けられている。天井部の換気口１０は、外箱１の前面板１ｅと変圧器タンク３との間の空間、右側の側板１ｂと変圧器タンク３との間の空間、及び背面板１ｆと変圧器タンク３との間の空間のそれぞれの上方に位置させた状態で、上から見てコの字形を呈する形で設けられている（図２参照）。
【００３４】
図１に示したように、外箱１の前面を覆う前面板１ｅは、変圧器２の前面を覆うように設けられて、仕切板１ｇと天井板１ｃと側板１ｂとに固定されたカバー板１ｅ１と、機器収容スペース５の前面側の開口部を閉じる着脱可能なカバー板１ｅ２と、一次側機器収容室１Ｂの前面側の開口部を閉じるために仕切板１ｇにヒンジ結合された開閉自在な扉板１ｅ３とからなっている。
【００３５】
図４に示したように、変圧器２の前面を覆うカバー板１ｅ１は、その下端が機器収容スペース５の上部に張出すように設けられていて、このカバー板１ｅ１の内面と変圧器タンク３の下端の外フランジ３０２及び蓋板３０５の外側面との間、及び仕切板１ｇ、背面板１ｆ及び側板１ｂのそれぞれの内面と外フランジ３０２及び蓋板３０５の外側面との間に圧縮された状態で介在するようにゴムパッキン１２が設けられている。
【００３６】
即ち、本発明においては、タンク本体３０１の外フランジ３０２及び蓋板３０５の外側面と外箱１の内面との間に介在するようにパッキン１２が配置され、このパッキン１２と、外フランジ３０２と、蓋板３０５とにより、変圧器タンク３の側面を囲む外箱１の内面と変圧器タンク３との間の空間に浸入した水が機器収容スペース５に流入するのを阻止する止水用隔壁部２０が形成されている。
【００３７】
本発明においてはまた、止水用隔壁部２０の上部に近接した位置で外箱１の内外を連通させるように、変圧器タンク３の前面、右側面及び背面に対向する外箱１の側壁（カバー板１ｅ１、側板１ｂ及び背面板）を貫通して水抜き孔２１が設けられる。図示の例では、横方向に長い長円状に形成された多数の水抜き孔２１，２１，…が横方向に所定の間隔で並ぶように設けられている。
【００３８】
また本発明の好ましい態様では、止水用隔壁部２０を通して機器収容スペース５側に浸出した水を止水用隔壁部２０の下方で受け止めるように、止水用隔壁部２０の下方に樋２２が配置される。
【００３９】
図示の樋２２は、カバー板１ｅ１の下端付近の内面から変圧器タンク３側に向って斜め上方に傾斜して、ボルト３０４ａ及びナット３０４ｂに相応する位置を越えた位置まで伸びる底板２２ａと、ボルト３０４ａ及び３０４ｂを越えた位置で底板２２ａの先端から変圧器タンク３側に起立した起立壁部２２ｂとからなっていて、底板２２ａの後端部がカバー板１ｅ１の下端付近の内面に溶接されている。
【００４０】
樋２２は、ボルト３０４ａを貫通させるために外フランジ３０２とパッキン３０３と蓋板３０５とを貫通させて設けた孔の内面とボルト３０４ａとの間の隙間や、パッキン１２と外箱１の内面との間に形成されるかもしれない僅かな隙間を通して機器収容スペース５側に水が浸出してきたときに、その水を受止めるために設けられたもので、ボルト３０４ａの下端及びナット３０４ｂを受入れるように設けられている。
【００４１】
樋２２は、変圧器タンク３の下端の周縁部の全周に沿うように配置されていて、樋２２の内部の水を外箱の外部に排出するための排出孔２３が、樋の底板２２ａの後端部（最下部）の上面に近接した位置で、外箱１の壁部（図示の例ではカバー板１ｅ１の下端寄りの部分）を貫通した状態で設けられている。
【００４２】
上記のように、変圧器タンク３の側面を囲む外箱１の内面と変圧器タンク３との間の空間に浸入した水が機器収容スペース５に流入するのを阻止する止水用隔壁部２０を変圧器タンク３の下部と外箱１の内面との間に設けると、図２に示した矢印Ｗのようにように、外箱に設けられた換気口から外箱内に浸入した雨水は、止水用隔壁部２０により阻止されるため、外箱内に浸入した水はすべて水抜き孔２１を通して外部に排出される。従って、外箱内に浸入した雨水等が機器収容スペース５側に流れ落ちるのを防ぐことができ、機器収容スペースに配置した二次側機器が浸水するのを防ぐことができる。
【００４３】
また上記のように、タンク本体３０１の外フランジ３０２及び蓋板３０５の外側面と外箱１の内面との間に介在するようにパッキン１２を配置して、パッキン１２と、外フランジ３０２と、蓋板３０５とにより、変圧器タンク３の側面を囲む外箱１の内面と変圧器タンク３との間の空間に浸入した水が機器収容スペースに流入するのを阻止する止水用隔壁部２０を形成するようにした場合には、パッキン１２を追加するだけで止水用壁部を形成することができるため、構造を特に複雑にすることなく止水を図ることができる。
【００４４】
更に、上記のように、止水用隔壁部２０の下方に樋２２を配置すると、万一止水用隔壁部２０により阻止できなかった雨水が機器収容スペース５側に流れ込んだ場合でもその水を樋２２により受け止めて排出孔２３から外部に排出することができるため、機器収容スペース５に配置した二次側機器が浸水するのを確実に防ぐことができる。
【００４５】
通常変圧器タンクの開口部には外フランジが設けられている。タンクに通常設けられる外フランジが上記止水用隔壁部を形成するのに十分な大きさを有している場合には、その外フランジをそのまま利用して止水用隔壁部２０を構成することができる。
【００４６】
外箱の内面とタンク本体との間の距離が大きいために、タンク本体に通常設けられる外フランジの寸法では、外フランジの張出し寸法が不足して止水用隔壁部を構成することが困難である場合には、外フランジの張り出し寸法を拡大するか、または、図５に示したように、外箱１のカバー板１ｅ１や側板１ｂ及び背面板１ｆを構成する板（図５はカバー板１ｅ１を構成する板を示している。）の一部を成形することにより、変圧器タンクの外フランジ３０２側に突出する山形の突出部１０１を形成して、この突出部１０１と外フランジ３０２及び蓋板３０５との間にパッキン１２を介在させるようにしてもよい。
【００４７】
また本発明は、上記のように変圧器タンクの外フランジを利用して止水用隔壁部を形成する場合に限定されるものではなく、例えば、変圧器タンクの下部側面に対向する外箱１の内面に止水用隔壁部を構成する板部材の後端部を溶接により接続して、該板部材と、該板部材の先端と変圧器タンクとの間に介在させたゴムパッキンとにより止水用隔壁部を構成するようにしてもよい。
【００４８】
【発明の効果】
以上のように、本発明によれば、外箱の側壁部及び天井部に設けた換気口から外箱内に浸入した雨水が変圧器タンクの下方に形成した機器収容スペースに流入するのを阻止する止水用隔壁部を変圧器タンクの下部と外箱の内面との間に設けたので、換気口から外箱内に浸入した雨水が機器収容スペース側に流れ落ちるのを防ぐことができ、機器収容スペースに配置した二次側機器が浸水するのを防ぐことができる。
【００４９】
また本発明において、止水用隔壁部の下方に樋を配置した場合には、万一止水用隔壁部により阻止できなかった雨水が機器収容スペース側に流れ込んだ場合でもその水を樋により受け止めて外部に排出することができるため、機器収容スペースに配置した二次側機器が浸水するのを確実に防ぐことができる。
【図面の簡単な説明】
【図１】本発明の実施形態の外観を概略的に示した正面図である。
【図２】図１に示した変圧器装置の上面図である。
【図３】図１に示した変圧器装置の外箱内の構成を示した正面図である。
【図４】図１に示した変圧器装置の要部をＡ−Ａ線に沿って断面して示した拡大断面図である。
【図５】本発明の他の実施形態の要部を示した拡大断面図である。
【符号の説明】
１…外箱、１ｅ１…カバー板、２…変圧器、３…変圧器タンク、３０２…外フランジ、３０５…蓋板、５…機器収容スペース、７Ａ，７Ｂ，８Ａ，８Ｂ，９Ａ，９Ｂ，１０Ａ，１０Ｂ…換気口、１２…パッキン、２０…止水用隔壁部、２１…水抜き孔、２２…樋、２３…排出孔。
【図１】
2004129403.tif 000003
【図２】
2004129403.tif 000004
【図３】
2004129403.tif 000005
【図４】
2004129403.tif 000006
【図５】
2004129403.tif 000007